(57)【要約】    【課題】  コミュニティでの話題が随時変化していても希望の話題を扱っているコミュニティに的確に参加することを可能にする。    【解決手段】  投稿入力部１０１が、外部から所定のコミュニティに向けて継続的に送信される複数の投稿データを取得し、分類処理部１０３が、投稿入力部１０１によって取得された複数のテキストデータに基づき、前記所定のコミュニティでの話題に対して分類を継続的に付与する。そして、分類処理部１０３によって付与された分類を示す情報が、所定のコミュニティにアクセスするクライアント装置に出力される。【選択図】      図１
2006227711.tif 000002
【特許請求の範囲】
【請求項１】
外部から所定のコミュニティに向けて継続的に送信される複数のテキストデータを取得する取得手段と、
前記取得手段によって取得された複数のテキストデータに基づき、前記所定のコミュニティでの話題に対して分類を継続的に付与する分類付与手段と、
前記分類付与手段によって付与された分類を示す情報を出力する出力手段と
を有することを特徴とするコミュニティ分類装置。
【請求項２】
前記分類付与手段によって複数のコミュニティでの各話題に対してそれぞれ付与された分類が同一であるか否かを判別する判別手段と、
前記判別手段によって分類が同一であると判別された複数のコミュニティの統合可否を確認する統合確認手段と、
前記統合確認手段により統合可と判定されたとき、前記複数のコミュニティを統合して新たなコミュニティを作成するコミュニティ統合手段と
をさらに有することを特徴とする請求項１に記載のコミュニティ分類装置。
【請求項３】
前記統合確認手段は、前記複数のコミュニティの統合可否を、該複数のコミュニティにそれぞれ参加している参加者または該複数のコミュニティの各代表者に確認することを特徴とする請求項２に記載のコミュニティ分類装置。
【請求項４】
各クライアント装置からコミュニティを指定して送信されるテキストデータを受信する受信手段と、
前記受信手段によって受信されたテキストデータを保持する保持手段と、
前記保持手段に継続的に保持されている所定のコミュニティに向けた複数のテキストデータを、コミュニティ表示データとして所定のクライアント装置に送信する送信手段と、
前記保持手段に継続的に保持されている所定のコミュニティに向けた複数のテキストデータに基づき、該所定のコミュニティでの話題に対して分類を継続的に付与する分類付与手段と、
前記分類付与手段によって付与された分類を示す情報を、前記所定のコミュニティにアクセスするクライアント装置に出力する出力手段と
を有することを特徴とするコミュニティ提供装置。
【請求項５】
前記分類付与手段によって複数のコミュニティでの各話題に対してそれぞれ付与された分類が同一であるか否かを判別する判別手段と、
前記判別付与手段によって分類が同一であると判別された複数のコミュニティの統合可否を確認する統合確認手段と、
前記統合確認手段により統合可と判定されたとき、前記複数のコミュニティを統合して新たなコミュニティを作成するコミュニティ統合手段と
をさらに有することを特徴とする請求項４に記載のコミュニティ提供装置。
【請求項６】
前記統合確認手段は、前記複数のコミュニティの統合可否を、該複数のコミュニティにそれぞれ参加している参加者または該複数のコミュニティの各代表者に確認することを特徴とする請求項５に記載のコミュニティ提供装置。
【請求項７】
外部から所定のコミュニティに向けて継続的に送信される複数のテキストデータを取得する取得ステップと、
前記取得ステップにおいて取得された複数のテキストデータに基づき、前記所定のコミュニティでの話題に対して分類を継続的に付与する分類付与ステップと、
前記分類付与ステップにおいて付与された分類を示す情報を出力する出力ステップと
を有することを特徴とするコミュニティ分類方法。
【請求項８】
前記分類付与ステップにおいて複数のコミュニティでの各話題に対してそれぞれ付与された分類が同一であるか否かを判別する判別ステップと、
前記判別ステップにおいて分類が同一であると判別された複数のコミュニティの統合可否を確認する統合確認ステップと、
前記統合確認ステップにおいて統合可と判定されたとき、前記複数のコミュニティを統合して新たなコミュニティを作成するコミュニティ統合ステップと
をさらに有することを特徴とする請求項７に記載のコミュニティ分類方法。
【請求項９】
各クライアント装置からコミュニティを指定して送信されるテキストデータを受信する受信ステップと、
前記受信ステップによって受信されたテキストデータを記憶装置に格納する格納ステップと、
前記記憶装置に継続的に格納されている所定のコミュニティに向けた複数のテキストデータを、コミュニティ表示データとして所定のクライアント装置に送信する送信ステップと、
前記記憶装置に継続的に格納されている所定のコミュニティに向けた複数のテキストデータに基づき、該所定のコミュニティでの話題に対して分類を継続的に付与する分類付与ステップと、
前記分類付与ステップにおいて付与された分類を示す情報を、前記所定のコミュニティにアクセスするクライアント装置に出力する出力ステップと
を有することを特徴とするコミュニティ提供方法。
【請求項１０】
前記分類付与ステップにおいて複数のコミュニティでの各話題に対してそれぞれ付与された分類が同一であるか否かを判別する判別ステップと、
前記判別ステップにおいて分類が同一であると判別された複数のコミュニティの統合可否を確認する統合確認ステップと、
前記統合確認ステップにおいて統合可と判定されたとき、前記複数のコミュニティを統合して新たなコミュニティを作成するコミュニティ統合ステップと
をさらに有することを特徴とする請求項９に記載のコミュニティ提供方法。
【請求項１１】
外部から所定のコミュニティに向けて継続的に送信される複数のテキストデータを取得する取得ステップと、
前記取得ステップにおいて取得された複数のテキストデータに基づき、前記所定のコミュニティでの話題に対して分類を継続的に付与する分類付与ステップと、
前記分類付与ステップにおいて付与された分類を示す情報を出力する出力ステップと
を有することを特徴とする、コンピュータに実行させるためのプログラム。
【請求項１２】
各クライアント装置からコミュニティを指定して送信されるテキストデータを受信する受信ステップと、
前記受信ステップによって受信されたテキストデータを記憶装置に格納する格納ステップと、
前記記憶装置に継続的に格納されている所定のコミュニティに向けた複数のテキストデータを、コミュニティ表示データとして所定のクライアント装置に送信する送信ステップと、
前記記憶装置に継続的に格納されている所定のコミュニティに向けた複数のテキストデータに基づき、該所定のコミュニティでの話題に対して分類を継続的に付与する分類付与ステップと、
前記分類付与ステップにおいて付与された分類を示す情報を、前記所定のコミュニティにアクセスするクライアント装置に出力する出力ステップと
を有することを特徴とする、コンピュータに実行させるためのプログラム。
【発明の詳細な説明】
【技術分野】
【０００１】
本発明は、コミュニティ分類装置、コミュニティ提供装置、コミュニティ分類方法、コミュニティ提供方法、及びプログラムに関し、特に、掲示板やチャットなどのコミュニティをネットワークに提供するコミュニティ提供装置、該コミュニティ提供装置においてコミュニティでの話題に対して分類を付与するコミュニティ分類装置、前記コミュニティ提供装置に適用されるコミュニティ提供方法、前記コミュニティ分類装置に適用されるコミュニティ分類方法、該コミュニティ提供方法またはコミュニティ分類方法をコンピュータに実行させるためのプログラムに関する。
【背景技術】
【０００２】
インターネットでは、掲示板やチャットを用いて、共通話題で集まったユーザがネットワーク上にコミュニティを形成している。
【０００３】
従来、このコミュニティでの話題の要約を生成し、その要約の内容を自動判定して、その話題に合った広告を、掲示板やチャットの画面に表示する装置（例えば、特許文献１参照）や、コミュニティ内のメッセージを話題毎に分類し、その分類された内容と類似したコミュニティが他にあれば、該他のコミュニティにメッセージの内容を提供する装置（例えば、特許文献２参照）などのコミュニティをサポートする装置が多数ある。
【０００４】
ところで、ユーザが多数のコミュニティの中からユーザの意図に合ったコミュニティを探して参加できるようにするため、予め各コミュニティでの話題を分類して提供するサービスがある。
【特許文献１】特開２００２−２８８１７９号公報
【特許文献２】特開２００２−３４２２４７号公報
【発明の開示】
【発明が解決しようとする課題】
【０００５】
しかしながら、コミュニティでの話題は随時変化するため、上記従来の話題を分類して提供するサービスを利用しても、実際にコミュニティに参加した場合に、その分類内容と一致しない話題となっている可能性があった。そのため、ユーザが希望とは異なるコミュニティに参加してしまうという問題があった。
【０００６】
また、各コミュニティは、それぞれ閉じられた中で機能しているため、複数のコミュニティが同一の話題を話し合っていたとしても、互いに独立した別のコミュニティとして存在する。そのため、多くの意見を必要とするユーザにとっては、現在参加しているコミュニティ以外での意見を求めるためには、同一の話題を話し合っている他のコミュニティを探して改めて参加しなくてはならないという問題があった。
【０００７】
本発明はこのような問題点に鑑みてなされたものであって、コミュニティでの話題が随時変化していても希望の話題を扱っているコミュニティに的確に参加することを可能にするコミュニティ分類装置、コミュニティ提供装置、コミュニティ分類方法、コミュニティ提供方法、及びプログラムを提供することを目的とする。
【０００８】
また、本発明は、同一の話題を扱う複数のコミュニティを統合的に利用することが可能なコミュニティ分類装置、コミュニティ提供装置、コミュニティ分類方法、コミュニティ提供方法、及びプログラムを提供することを他の目的とする。
【課題を解決するための手段】
【０００９】
上記目的を達成するために、請求項１記載の発明によれば、外部から所定のコミュニティに向けて継続的に送信される複数のテキストデータを取得する取得手段と、前記取得手段によって取得された複数のテキストデータに基づき、前記所定のコミュニティでの話題に対して分類を継続的に付与する分類付与手段と、前記分類付与手段によって付与された分類を示す情報を出力する出力手段とを有することを特徴とするコミュニティ分類装置が提供される。
【００１０】
また、請求項２記載の発明によれば、前記コミュニティ分類装置において、前記分類付与手段によって複数のコミュニティでの各話題に対してそれぞれ付与された分類が同一であるか否かを判別する判別手段と、前記判別手段によって分類が同一であると判別された複数のコミュニティの統合可否を確認する統合確認手段と、前記統合確認手段により統合可と判定されたとき、前記複数のコミュニティを統合して新たなコミュニティを作成するコミュニティ統合手段とをさらに有することを特徴とする。
【００１１】
また、請求項４記載の発明によれば、各クライアント装置からコミュニティを指定して送信されるテキストデータを受信する受信手段と、前記受信手段によって受信されたテキストデータを保持する保持手段と、前記保持手段に継続的に保持されている所定のコミュニティに向けた複数のテキストデータを、コミュニティ表示データとして所定のクライアント装置に送信する送信手段と、前記保持手段に継続的に保持されている所定のコミュニティに向けた複数のテキストデータに基づき、該所定のコミュニティでの話題に対して分類を継続的に付与する分類付与手段と、前記分類付与手段によって付与された分類を示す情報を、前記所定のコミュニティにアクセスするクライアント装置に出力する出力手段とを有することを特徴とするコミュニティ提供装置が提供される。
【００１２】
また、請求項７記載の発明によれば、外部から所定のコミュニティに向けて継続的に送信される複数のテキストデータを取得する取得ステップと、前記取得ステップにおいて取得された複数のテキストデータに基づき、前記所定のコミュニティでの話題に対して分類を継続的に付与する分類付与ステップと、前記分類付与ステップにおいて付与された分類を示す情報を出力する出力ステップとを有することを特徴とするコミュニティ分類方法が提供される。
【００１３】
また、請求項９記載の発明によれば、各クライアント装置からコミュニティを指定して送信されるテキストデータを受信する受信ステップと、前記受信ステップによって受信されたテキストデータを記憶装置に格納する格納ステップと、前記記憶装置に継続的に格納されている所定のコミュニティに向けた複数のテキストデータを、コミュニティ表示データとして所定のクライアント装置に送信する送信ステップと、前記記憶装置に継続的に格納されている所定のコミュニティに向けた複数のテキストデータに基づき、該所定のコミュニティでの話題に対して分類を継続的に付与する分類付与ステップと、前記分類付与ステップにおいて付与された分類を示す情報を、前記所定のコミュニティにアクセスするクライアント装置に出力する出力ステップとを有することを特徴とするコミュニティ提供方法が提供される。
【００１４】
さらに、上記コミュニティ分類方法またはコミュニティ提供方法をコンピュータに実行させるためのプログラムが提供される。
【発明の効果】
【００１５】
本発明によれば、コミュニティにおける随時変化する話題に対して常時、分類を付与し、ユーザに提示するようにする。これによって、ユーザは、希望する分類に属する話題を提供するコミュニティに的確に参加することができる。
【００１６】
また、複数のコミュニティが同一の分類に属する話題を扱っている場合、該複数のコミュニティを統合するようにする。これにより、ユーザは、同一の話題を扱う複数のコミュニティを統合的に利用することが可能となる。
【発明を実施するための最良の形態】
【００１７】
以下、本発明を実施するための最良の形態について、図面を参照して説明する。
【００１８】
〔第１の実施の形態〕
図１は、本発明の第１の実施の形態に係るコミュニティ分類装置の機能構成を示すブロック図である。本コミュニティ分類装置は、図２を参照して後述するハードウェア構成を備え、後述するＣＰＵ２０１が、メモリ２０２に格納された制御プログラムを実行することにより、図１にブロックで示す各機能を実現する。
【００１９】
１０１は、投稿入力部であり、掲示板に投稿されるべきテキストデータが外部から入力され、これを受け取る。
【００２０】
１０２は、投稿保持部であり、投稿入力部１０１で受け取ったテキストデータを全て保存する。
【００２１】
１０３は、分類処理部であり、投稿保持部１０２によって保存されたテキストデータを定期的に分類する。
【００２２】
１０４は、分類履歴保持部であり、分類処理部１０３で定期的に行われた分類の結果を保持する。ここに保持される最新の分類内容が、掲示板の話題の最新の分類内容となる。
【００２３】
図２は、図１に示すコミュニティ分類装置のハードウェア構成を示すブロック図である。
【００２４】
コミュニティ分類装置は、ＣＰＵ２０１、メモリ２０２、記録ディスク２０３、通信装置２０４で構成され、これらがバス２０５で互いに接続されている。
【００２５】
ＣＰＵ２０１は処理の演算を行なう。メモリ２０２は演算に必要な記憶領域を実現する。記録ディスク２０３は投稿保持部１０２と分類履歴保持部１０４を実現する。通信装置２０４はネットワークに接続するための装置であり、図３を参照して後述する情報クライアント７０１と情報をやりとりする。バス２０５は、これらの装置間を繋ぎデータを転送する。
【００２６】
図３は、図１に示すコミュニティ分類装置が接続されるネットワークの構成を示すブロック図である。
【００２７】
７０１は情報クライアント（装置）であり、７０２は、掲示板を提供する情報サーバであり、７０３はネットワークである。情報サーバ７０２は、図１に示すコミュニティ分類装置を包含する。ネットワーク７０３には複数の情報クライアントが接続され得る。
【００２８】
投稿すべきテキストデータが情報クライアント７０１で入力され、ネットワーク７０３を通して情報サーバ７０２に届くと、該テキストデータが、図１に示す投稿入力部１０１に入力される。投稿入力部１０１に入力されたテキストデータは、投稿保持部１０２に保持される。
【００２９】
一方、情報サーバ７０２は、投稿保持部１０２に保持されているテキストデータのうち、例えば先頭の３０件分を掲示板のページに表示されるべきデータとして、情報クライアント７０１にネットワーク７０３を介して送信する。
【００３０】
図４は、コミュニティ分類装置において実行される分類処理の手順を示すフローチャートである。なお、この分類処理は所定時間ごとに実行される。
【００３１】
まずステップＳ３０１で、掲示板に投稿されたテキストデータからなる会話内容を分類する。この分類処理には、前回分類処理を行なって時点から現時点までに新たに入力されたテキストデータを用いる。分類方法としては、例えば、それらのテキストデータを単語に分割し、各単語の出現頻度を用いて行なう方法など、任意の公知のテキスト分類方法が用いられる。
【００３２】
次にステップＳ３０２で、ステップＳ３０１で分類した結果と、分類履歴保持部１０４に保持されている最新の分類結果とを比較する。この結果、ステップＳ３０１で分類した結果と、分類履歴保持部１０４に保持されている最新の分類結果とが異なっていた場合、ステップＳ３０３に進む。同一の場合は本分類処理を終了する。
【００３３】
ステップＳ３０３では、ステップＳ３０１で分類した結果を分類履歴保持部１０４に保持する。そして、本分類処理を終了する。
【００３４】
この分類処理の実行によって、掲示板の投稿における話題が変化した時には即刻、掲示板の話題に対する分類を最新の分類に変えることができる。
【００３５】
図５は、情報サーバ７０２によって提供される掲示板（例えば掲示板Ａ）における話題に対して行われた分類の変化を示す図である。縦軸が時間の経過を示している。
【００３６】
図中４０１は、この時点での掲示板Ａの話題に対して分類処理した結果（「Ｊリーグ」）である。
【００３７】
４０２〜４０４は、分類処理部１０３が、図４に示す分類処理を行なうタイミングである。
【００３８】
４０５〜４０７は、分類履歴保持部１０４が保持している分類履歴である。
【００３９】
タイミング４０３までは、今回分類処理した結果と、前回の分類処理した結果とが、「Ｊリーグ」であって一致しているため、分類履歴４０５および分類履歴４０６の変更は行なわれていない。
【００４０】
タイミング４０４では、今回分類処理した結果が「Ｗカップ」であり、前回の分類処理結果「Ｊリーグ」と異なっている。そのため、分類履歴保持部１０４が保持している分類履歴４０７に「Ｗカップ」が保持され、掲示板Ａの話題に対する最新の分類が変更される。
【００４１】
図６及び図７は、掲示板の話題に対する最新の分類内容を表示する画面の一部を示す図であり、図６は、最新の分類内容が「Ｊリーグ」である場合の画面を示し、図７は、最新の分類内容が「Ｊリーグ」から「Ｗカップ」に変化した場合の画面を示す。
【００４２】
図６において５０１は、掲示板を表わすアイコンである。５０２は掲示板の分類内容（「Ｊリーグ」）である。５０３は、掲示板の分類内容の推移を表す矢印である。
【００４３】
図６における分類内容５０２は、図５に示すタイミング４０３における掲示板の分類内容を示している。
【００４４】
図７において６０１〜６０３は、前回の分類処理におけるアイコン、分類内容（「Ｊリーグ」）、矢印であり、図６に示すアイコン５０１、分類内容５０２、矢印５０３に相当する。６１１〜６１３は、今回の分類処理におけるアイコン、分類内容（「Ｗカップ」）、矢印である。
【００４５】
図７における分類内容６１２は、図５に示すタイミング４０４における掲示板の分類内容を示している。すなわち、タイミング４０４によって掲示板の分類が分類内容６０２「Ｊリーグ」から分類内容６１２「Ｗカップ」に推移する。なお、推移しても分類内容６０２「Ｊリーグ」の表示は残すようにしている。
【００４６】
このように、第１の実施の形態では、掲示板の話題が変化した時、その変化を自動的に検出して、新しい話題の分類内容を画面表示するので、この画面を見たユーザは、掲示板の最新の話題を知ることができ、また話題の変化を知ることができる。
【００４７】
〔第２の実施の形態〕
次に、本発明の第２の実施の形態を説明する。
【００４８】
第２の実施の形態の構成は、基本的に第１の実施の形態の構成と同じであるので、第２の実施の形態の説明においては、第１の実施の形態の構成と同一部分には同一の参照符号を付して、第１の実施の形態の説明を流用し、異なる部分だけを説明する。
【００４９】
第２の実施の形態では、情報サーバ７０２が複数の掲示板を提供するとともに、複数の掲示板での話題の分類内容が同一である場合には、それらの掲示板を結合することが行われる。
【００５０】
図８は、第２の実施の形態におけるコミュニティ分類装置の機能構成を示すブロック図である。このコミュニティ分類装置の各機能も、図２を参照して示すＣＰＵ２０１が、メモリ２０２に格納された制御プログラムを実行することにより実現される。
【００５１】
８０１〜８０４は、図１に示す第１の実施の形態における投稿入力部１０１、投稿保持部１０２、分類処理部１０３、分類履歴保持部１０４とそれぞれ同じ機能を有する投稿入力部、投稿保持部、分類処理部、分類履歴保持部である。ただし、投稿保持部８０２と分類履歴保持部８０４は、複数の掲示板にそれぞれ対応するデータを保持する。
【００５２】
８０５は統合判定部であり、分類履歴保持部８０４で履歴が更新された時、複数の掲示板での各話題に対して同一の分類が付与されているか否かを調べ、付与されていた場合には統合確認部８０６に情報クライアント７０１との通信を行わせ、ユーザが、同一の分類が付与されている掲示板を統合することに同意するか否かを確認させる。
【００５３】
８０６は統合確認部であり、本コミュニティ分類装置と情報クライアント７０１との間で統合同意確認メッセージ及びその応答メッセージの送受信を行う。
【００５４】
８０７は統合処理部であり、統合判定部８０５から統合判定を下された複数の掲示板を統合する。
【００５５】
図９は、第２の実施の形態におけるコミュニティ分類装置において実行される分類処理の手順を示すフローチャートである。
【００５６】
ステップＳ９０１〜ステップＳ９０３は、図４に示す第１の実施の形態におけるステップＳ３０１〜ステップＳ３０３とそれぞれ同じである。
【００５７】
第２の実施の形態では、ステップＳ９１１において、統合判定部８０５が、複数の掲示板での各話題に対して付与された分類のうち、同一のものがあるか否かを調べる。この結果、同一の分類が存在した場合、ステップＳ９１２に進み、同一の分類がなかった場合には本分類処理を終了する。
【００５８】
次にステップＳ９１２で、統合確認部８０６が、同一の分類を持つ各掲示板に対して、掲示板の統合に同意するか否かを確認するメッセージを投稿する。そして、統合同意確認メッセージの応答メッセージを受信する。すなわち、それぞれの掲示板の代表者権限を持つユーザが、代表者権限のパスワードと同意のメッセージとを、情報クライアントから掲示板に書き込むことによって、同意することを示すことができる。統合確認部８０６は、統合の同意を確認した場合、その旨を統合判定部８０５に通知して、ステップＳ９１３に進み、同意が得られなかった場合には本分類処理を終了する。
【００５９】
ステップＳ９１３では、統合判定部８０５は統合処理部８０７に対して統合判定を下し、同一の分類が付与された複数の掲示板を統合する。統合した後、分類履歴保持部８０４及び統合判定部８０５に、統合した掲示板での話題に対して付与された分類を保持する。
【００６０】
図１０は、第２の実施の形態における情報サーバ７０２によって提供される複数の掲示板（例えば掲示板Ａ、Ｂ）の統合と、それらの掲示板の話題に対して付与された分類の変化とを示す図である。縦軸が時間の経過を示している。
【００６１】
図中１００１は、この時点での掲示板Ｂの話題に対して分類処理した結果（「セリエＡ」）である。
【００６２】
１００２は、統合確認部８０６が送った統合同意確認メッセージに対して各掲示板の代表者が返信した応答メッセージに含まれる統合賛否情報である。
【００６３】
１００３〜１００５は、分類処理部１０３が分類処理を行なうタイミングである。
【００６４】
１００６〜１００９は、分類履歴保持部８０４に保持され、統合判定部８０５で管理されている、各掲示板での話題に対して付与された分類内容である。
【００６５】
タイミング１００５において統合判定部８０５が、分類内容１００８に示すように、掲示板Ａの話題に対して付与された分類と、掲示板Ｂの話題に対して付与された分類との一致を確認したため、統合確認部８０６が掲示板Ａ，Ｂに投稿することによって、掲示板Ａ，Ｂの代表者の情報クライアントに対してネットワーク７０３を介して統合同意確認のメッセージを送信する。各掲示板の代表者は、統合賛否情報１００２のような応答メッセージを統合確認部８０６に返信する。統合賛否情報１００２の例では、共に同意が得られたので、統合判定部８０５の指示を受けた統合処理部８０７が、掲示板Ａと掲示板Ｂとの統合を行う。統合の結果、掲示板ＡＢが作成され、統合処理部８０７は分類履歴保持部８０３と統合判定部８０５に、新しい掲示板ＡＢ用の分類１００９「Ｗカップ」を保持するように依頼する。
【００６６】
図１１は、掲示板Ａと掲示板Ｂとを統合する前後における掲示板を表示する画面を示す図である。
【００６７】
１１０１及び１１０３は、統合前の掲示板（Ａ）の投稿画面である。
【００６８】
１１０２及び１１０４は、統合前の掲示板（Ｂ）の投稿画面である。
【００６９】
１１０５は、統合後の新しい掲示板（ＡＢ）の投稿画面である。
【００７０】
１１０６は、統合後の新しい掲示板（ＡＢ）の全体画面である。
【００７１】
統合前の掲示板（Ａ）１１０１と掲示板（Ｂ）１１０２とは独立した掲示板であるが、統合処理部８０７によって統合されると、新しい掲示板（ＡＢ）１１０６になる。掲示板（ＡＢ）１１０６は、統合前の掲示板（Ａ）の過去投稿を表示する掲示板１１０３及び掲示板（Ｂ）の過去投稿を表示する掲示板１１０４と、統合後の新しい投稿を表示する掲示板１１０５とで構成される。このように、統合後も、統合前の掲示板Ａ，Ｂの過去投稿を同時に参照することができる。
【００７２】
以上のように、第２の実施の形態では、複数の掲示板の話題が同一の分類に属するとき、該複数の掲示板を統合することができるため、共通話題を持ったより多くの掲示板参加者とコミュニケーションをもつことができる。
【００７３】
〔第３の実施の形態〕
次に、本発明の第３の実施の形態を説明する。
【００７４】
第３の実施の形態の構成は、基本的に第２の実施の形態の構成と同じであるので、第３の実施の形態の説明においては、第２の実施の形態の構成と同一部分には同一の参照符号を付して、第２の実施の形態の説明を流用し、異なる部分だけを説明する。
【００７５】
第３の実施の形態では、掲示板Ａと掲示板Ｂとを統合する前後における掲示板を表示する画面が、図１１に示す第２の実施の形態とは異なり、統合後の掲示板において統合前の掲示板の投稿を表示しないようにする。
【００７６】
図１２は、第３の実施の形態における、掲示板Ａと掲示板Ｂとを統合する前後における掲示板を表示する画面を示す図である。
【００７７】
図１２において１２０１は、統合前の掲示板（Ａ）の投稿画面である。
【００７８】
１２０２は、掲示板（Ａ）に投稿された過去ログＡである。
【００７９】
１２０３は、統合前の掲示板（Ｂ）の投稿画面である。
【００８０】
１２０４は、掲示板（Ｂ）に投稿された過去ログＢである。
【００８１】
１２０５は、統合後の新しい掲示板（ＡＢ）の投稿画面である。
【００８２】
１２０６は、新しい掲示板（ＡＢ）に投稿された過去ログＡＢである。
【００８３】
統合前においては、掲示板（Ａ）に投稿されたテキストデータは過去ログ（Ａ）１２０２に保持され、同様に掲示板（Ｂ）に投稿されたテキストデータは過去ログ（Ｂ）１２０４に保持される。
【００８４】
掲示板（Ａ）と掲示板（Ｂ）とが統合されると掲示板（ＡＢ）になり、その掲示板（ＡＢ）に投稿された新しいテキストデータは過去ログ（ＡＢ）１２０６に保持される。なお、掲示板（ＡＢ）は、統合前の過去ログ（Ａ）１２０２及び過去ログ（Ｂ）１２０４を引き継いでおり、統合前の掲示板（Ａ）または掲示板（Ｂ）に対する投稿内容を見たい場合、これらの過去ログ（Ａ）１２０２または過去ログ（Ｂ）１２０４をクリックすると、その投稿内容が表示され、これによって、要求に応じて過去の統合前の投稿を参照することができる。
【００８５】
〔他の実施の形態〕
上記の各実施の形態では、コミュニティとして掲示板を例に挙げているが、情報サーバ７０２がチャットをコミュニティとして提供し、しかも複数のチャットを対象として本発明を適用するようにしてもよい。さらには、インスタントメッセージング（ＩＭ）、メール、電子会議室などをコミュニティとして、そこでの話題に対して本発明を適用するようにしてもよい。
【００８６】
また、上記の各実施の形態では、話題の分類処理を定期的に行なっているが、分類処理を実行するタイミングは定期的でなくてもよい。例えば、投稿が行われる都度や、投稿件数が所定件数（例えば３０件）に達するごとに、分類処理を実行するようにしてもよい。
【００８７】
また、上記の各実施の形態では、コミュニティ分類装置が、掲示板を提供する情報サーバ７０２内に存在しているが、コミュニティ分類装置は情報サーバ７０２とは別体として設けるようにしてもよい。
【００８８】
また、上記の各実施の形態では、話題に付与された分類が推移したとき、推移前の分類情報を保持しているが、該分類情報は削除してもよい。
【００８９】
また、上記の各実施の形態では、投稿保持部が、投稿入力部で受け取ったテキストデータの全てを保存し、分類処理部が、これらのテキストデータの全てを用いて分類処理を行っているが、投稿保持部が、投稿入力部で受け取ったテキストデータの一部を保存し、分類処理部が、このテキストデータの一部を用いて分類処理を行うようにしてもよい。
【００９０】
また、上記の第２及び第３の実施の形態では、掲示板を統合する際、各掲示板の代表権限をもつユーザによる統合同意を確認するようにしているが、これに代わって、例えば、掲示板の参加者の過半数が同意した場合に統合する、同意したユーザにだけ統合掲示板を提供する、一定時間内に同意応答がなければ統合しない、などの方法で運用してもよい。
【００９１】
また、上記の第２及び第３の実施の形態では、２つの掲示板を統合する例を説明したが、３つ以上の掲示板を同時に統合するようにしてもよい。
【００９２】
また、本発明の目的は、上記の各実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００９３】
この場合、記憶媒体から読み出されたプログラムコード自体が前述した各実施の形態の機能を実現することになり、そのプログラムコード及び該プログラムコードを記憶した記憶媒体は本発明を構成することになる。
【００９４】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００９５】
また、コンピュータが読み出したプログラムコードを実行することにより、上記各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００９６】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【００９７】
また、コンピュータが読み出したプログラムコードを実行することにより、前述した各実施の形態の機能が実現されるだけでなく、そのプログラムコードの指示に基づき、コンピュータ上で稼働しているＯＳなどが実際の処理の一部または全部を行い、その処理によって前述した各実施の形態の機能が実現される場合も、本発明に含まれることは言うまでもない。
【００９８】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【図面の簡単な説明】
【００９９】
【図１】本発明の第１の実施の形態に係るコミュニティ分類装置の機能構成を示すブロック図である。
【図２】図１に示すコミュニティ分類装置のハードウェア構成を示すブロック図である。
【図３】図１に示すコミュニティ分類装置が接続されるネットワークの構成を示すブロック図である。
【図４】コミュニティ分類装置において実行される分類処理の手順を示すフローチャートである。
【図５】情報サーバによって提供される掲示板における話題に対して行われた分類の変化を示す図である。
【図６】掲示板の話題に対する最新の分類内容（「Ｊリーグ」）を表示する画面の一部を示す図である。
【図７】掲示板の話題に対する最新の分類内容（「Ｗカップ」）を表示する画面の一部を示す図である。
【図８】第２の実施の形態におけるコミュニティ分類装置の機能構成を示すブロック図である。
【図９】第２の実施の形態におけるコミュニティ分類装置において実行される分類処理の手順を示すフローチャートである。
【図１０】第２の実施の形態における情報サーバによって提供される複数の掲示板の統合と、それらの掲示板の話題に対して付与された分類の変化とを示す図である。
【図１１】掲示板Ａと掲示板Ｂとを統合する前後における掲示板を表示する画面を示す図である。
【図１２】第３の実施の形態における、掲示板Ａと掲示板Ｂとを統合する前後における掲示板を表示する画面を示す図である。
【符号の説明】
【０１００】
１０１  投稿入力部
１０２  投稿保持部
１０３  分類処理部
１０４  分類履歴保持部
【図１】
2006227711.tif 000003
【図２】
2006227711.tif 000004
【図３】
2006227711.tif 000005
【図４】
2006227711.tif 000006
【図５】
2006227711.tif 000007
【図６】
2006227711.tif 000008
【図７】
2006227711.tif 000009
【図８】
2006227711.tif 000010
【図９】
2006227711.tif 000011
【図１０】
2006227711.tif 000012
【図１１】
2006227711.tif 000013
【図１２】
2006227711.tif 000014